(57)【特許請求の範囲】
【請求項１】
基台と、この基台の両側部に位置して配設されてエアーの給排気により膨縮する一対の袋体と、この一対の袋体間の略中間部に位置して前記基台に着脱可能に設けられた受け体とを備え、
前記受け体が取外された状態で、前記一対の袋体の押圧面が互いに対向して、これら一対の袋体間に凹状の第一の被施療部載置部を形成するとともに、
前記受け体は前記一対の袋体のそれぞれの押圧面に対応する受け面を有し、この受け体が前記基台に取付けられた状態で、前記受け面と前記袋体との間に前記第一の被施療部載置部よりも幅寸法の小さい凹状の第二の被施療部載置部を形成することを特徴とするエアーマッサージ機。
【請求項２】
支持面を有し上方に突出した一対の支持部を設けた基台と、
押圧面を有しこの押圧面と反対側を前記支持面に支持させて前記基台の両側部に夫々配設され、互いの押圧面間に凹状の第一の被施療部載置部を形成する一対の袋体と、
前記基台の支持部間の略中間部に着脱可能に設けられるとともに前記一対の袋体のそれぞれの押圧面に対応した受け面を有し、前記基台への取付け状態で前記受け面と前記袋体との間に前記第一の被施療部載置部よりも幅寸法の小さい凹状の第二の被施療部載置部を形成する副基台と、前記袋体にエアーの給排気をするエアー供給装置とを備えたことを特徴とするエアーマッサージ機。
【請求項３】
前記基台に設けた一対の袋体のそれぞれに対向させてエアーの供給装置からのエアーの給排気によって膨縮する袋体を前記副基台の受け面に設けたことを特徴とする請求項２記載のエアーマッサージ機。
【請求項４】
流入接続口と嵌合孔を有する吐出接続口とを有し前記流入接続口がエアー供給装置に接続される被接続手段を前記基台に設け、前記副基台に設けた一対の袋体にエアーを送出する送出口と前記吐出接続口に挿脱可能にかつ気密的に嵌合する筒状部を有する嵌合接続口とを有する接続手段を前記副基台に設けるとともに、前記接続手段の嵌合接続口を被接続手段の吐出接続口に挿入して嵌合した際に嵌合接続口を開き、離脱した際に閉じる弁手段とを設けたことを特徴とする請求項３記載のエアーマッサージ機。
【発明の詳細な説明】
【０００１】
【発明の属する技術分野】
この発明は、エアーの給排気によって膨縮する袋体にエアーを給排気して被施療部のマッサージをするエアーマッサージ機に関する。
【０００２】
【従来の技術】
従来、エアーの給排気によって膨縮する袋体にエアーを給排気して被施療部のマッサージをするエアーマッサージ機の中には、身体の局部例えば脚部（ふくらはぎ部、足首）をマッサージする脚部用のエアーマッサージ機が知られているが、この従来の脚部用のエアーマッサージ機は、基台に脚部を挿入する一対の略Ｕ字状の溝状凹部を形成し、これら溝状凹部の互いに対向する側壁にエアーの給排気によって膨縮する袋体を設け、前記溝状凹部に被施療部である脚部等を挿入して袋体を膨縮させてマッサージをする構成となっている。そして、前記Ｕ字状の溝状凹部の幅寸法は脚部等を挿入できる幅寸法に設定されているため、この脚部よりも大きい他の部分例えば腰部は挿入できないことから、腰部等のマッサージはできないものである。つまり従来の脚部用のエアーマッサージ機は、脚部専用として設計されているものであり腰等他の被施療部等のマッサージはできないものである。
【０００３】
【発明が解決しようとする課題】
そして、同一の脚部用エアーマッサージ機によって脚部以外の被施療部をマッサージできることが望ましいことではあるが、上述のように従来の脚部用エアーマッサージ機は脚部専用として設計されているものであることから腰等他の被施療部等のマッサージはできないという欠点を有していた。
【０００４】
【課題を解決するための手段】
この発明は上記事情に鑑みなされたものであり、請求項１記載の発明は、基台と、この基台の両側部に位置して配設されてエアーの給排気により膨縮する一対の袋体と、この一対の袋体間の略中間部に位置して前記基台に着脱可能に設けられた受け体とを備え、前記受け体が取外された状態で、前記一対の袋体の押圧面が互いに対向して、これら一対の袋体間に凹状の第一の被施療部載置部を形成するとともに、前記受け体は前記一対の袋体のそれぞれの押圧面に対応する受け面を有し、この受け体が前記基台に取付けられた状態で、前記受け面と前記袋体との間に前記第一の被施療部載置部よりも幅寸法の小さい凹状の第二の被施療部載置部を形成することを特徴としたものである。
【０００５】
このように請求項１記載の発明は、受け面と袋体の押圧面との間に幅寸法の小さい一対の凹状の第二の被施療部載置部が形成され、前記一対の袋体間に幅寸法の大きい凹状の被施療部載置部が形成されることから、大きさの異なる被施療部のマッサージができるという作用を有するものである。
【０００６】
また、請求項２記載の発明は、支持面を有し上方に突出した一対の支持部を設けた基台と、押圧面を有しこの押圧面と反対側を前記支持面に支持させて前記基台の両側部に夫々配設され、互いの押圧面間に凹状の第一の被施療部載置部を形成する一対の袋体と、前記基台の支持部間の略中間部に着脱可能に設けられるとともに前記一対の袋体のそれぞれの押圧面に対応した受け面を有し、前記基台への取付け状態で前記受け面と前記袋体との間に前記第一の被施療部載置部よりも幅寸法の小さい凹状の第二の被施療部載置部を形成する副基台と、前記袋体にエアーの給排気をするエアー供給装置とを備えたことを特徴としたものである。
【０００７】
このように請求項２記載の発明は、基台に副基台を取り付けた状態では受け面と袋体の押圧面と間に幅寸法の小さい一対の凹状の第二の被施療部載置部が形成され、副基台を取り外した状態では前記一対の袋体の押圧面間に幅寸法の大きい凹状の被施療部載置部が形成されることから、大きさの異なる被施療部のマッサージができるという作用を有するものである。
【０００８】
また、請求項３記載の発明は、請求項２記載の発明において、基台に設けた一対の袋体のそれぞれに対向させてエアーの供給装置からのエアーの給排気によって膨縮する袋体を前記副基台の受け面に設けたエアーマッサージ機としたものである。
【０００９】
このように請求項３記載の発明は、上記請求項２記載の発明において、基台に設けた一対の袋体のそれぞれに対向させて、副基台の受け面にエアーの供給装置からのエアーの給排気によって膨縮する袋体を設ける構成としたことから、請求項２記載の発明の作用に加え、副基台を取り付けた際に形成される幅寸法の小さい一対の凹状の被施療部載置部に挿入された被施療部を両側から押圧できることから良好なマッサージ効果が得られるという作用を有するものである。
【００１０】
また、請求項４記載の発明は、請求項３記載の発明において、流入接続口と嵌合孔を有する吐出接続口とを有し前記流入接続口がエアー供給装置に接続される被接続手段を前記基台に設け、前記副基台に設けた一対の袋体にエアーを送出する送出口と前記吐出接続口に挿脱可能にかつ気密的に嵌合する筒状部を有する嵌合接続口とを有する接続手段を前記副基台に設けるとともに、前記接続手段の嵌合接続口を被接続手段の吐出接続口に挿入して嵌合した際に嵌合接続口を開き、離脱した際に閉じる弁手段とを設けたエアーマッサージ機としたものである。
【００１１】
このように請求項４記載の発明は、請求項３記載の発明において、基台に、流入接続口と嵌合孔を有する吐出接続口とを有し前記流入接続口がエアー供給装置に接続される被接続手段を設け、前記副基台に、この副基台に設けた一対の袋体にエアーを送出する送出口と前記吐出接続口に挿脱可能にかつ気密的に嵌合する筒状部を有する嵌合接続口とを有する接続手段を設けるとともに、前記接続手段の嵌合接続口を被接続手段の吐出接続口に挿入した際に、前記嵌合接続口を開き、離脱した際に閉じる弁手段とを設ける構成としている。このため、請求項３記載の発明の作用に加えて、基台に副基台を取り付け接続手段の嵌合接続口が被接続手段の吐出接続口に接続されると弁手段によって被接続手段の吐出接続口は自動的に開き副基台に設けた袋体へのエアーの給排気を可能とし、副基台を基台から取り外した際は吐出接続口は自動的に閉じられ副基台に設けた袋体へのエアーの給排気を自動的に停止させることができる。このように副基台の取り付け取り外しに応じて副基台に設けた袋体へのエアーの供給、停止ができることから、その取扱いが容易となる作用を有するものである。
【００１２】
【発明の実施の形態】
つぎに、この発明を脚部用のエアーマッサージ機に適用した場合の実施の形態を図１ないし図３に基づいて説明する。
【００１３】
図１は脚部用のエアーマッサージ機（以下エアーマッサージ機という）１の斜視図で、基台２に副基台７０を取り付けた状態を示す斜視図であり、図２は副基台７０を基台２から取り外した状態の斜視図である。また、図３は基台２に副基台７０を取り付けた状態のエアーマッサージ機１の図１におけるＸ−Ｘ線での断面図である。
【００１４】
そして、図１ないし図３に示すように前記基台２は上方からの投影は略長方形状に形成されるとともに、上部ケース１０とこの上部ケース１０に図示しない取付ねじによって結合された下部ケース３０とから構成されている。そして前記上部ケース１０は、図に示すように長手方向の両端側を上方に向けて突出して形成した支持部としての隆起部１１と同じく支持部としての隆起部２１とが設けられており、隆起部１１および隆起部２１との間には平坦面１７が形成されている。また、前記隆起部１１および隆起部２１のうち隆起部１１は図３に示すように隆起部２１よりも大きく形成されている。また、前記隆起部１１と隆起部２１の互いに対向する面は上方に向けて拡開する支持面としての傾斜面１２および傾斜面２２が形成されている。
【００１５】
また、傾斜面１２および傾斜面２２のそれぞれ略中央部に貫通孔１３および貫通孔２３がそれぞれ形成され、また、傾斜面１２および傾斜面２２にはそれぞれ袋体４０が取り付けられている。そして、前記平坦面１７と前記傾斜面１２と傾斜面２２とにそれぞれ設けられた両袋体４０とによって幅寸法の大きな凹状の第一の被施療部載置部２５が形成されている。
【００１６】
そして、前記袋体４０は同一の形状に形成されており、この袋体４０の図３において下方部には接続部４１が設けられており、また、外周部は起毛生地からなる布地によって形成されたカバー４２によって覆われており、また、このカバー４２の内面にはカバー４２と離間して図示しないがナイロン等からなるメッシュ材（網状布材）が取り付けられており、このメッシュ材とカバー４２との間には発泡ウレタンフォーム等からなる軟質部材４３が入れられている。
【００１７】
また、前記上部ケース１０に形成した前記隆起部１１と下部ケース３０とによって形成され基台２の内部は収納室２４となっており、前記隆起部２１と下部ケース３０とによって形成された基台２の内部および平坦部１７と下部ケース３０とによって形成された基台２の内部はそれぞれ配設室２６となっている。
【００１８】
そして、前記収納室２４には、エアーコンプレッサー等からなる周知のエアー生成手段５１が設けられており、このエアー生成手段５１のエアー供給口５２にはエアーホース５２ａを介して給排気手段５３が接続されている。この給排気手段５３は、図３に示すように筐体５３ａと電磁弁５４とから構成され、前記筐体５３ａには前記エアーホース５２ａが接続される流入口５３ｃ、この流入口５３ｃから流入したエアーを送出する送出口５３ｄ、排気口５３ｅが設けられており、そしてこの排気口５３ｅには前記電磁弁５４の作動杆５４ａが貫通しており、この作動杆５４ａの先端部には弁体５４ｂが設けられており、この作動杆５４ａは前記電磁弁５４に駆動電流が供給された時つまり駆動状態では没入し、供給されないときつまり非駆動状態ではばね５４ｃによって付勢され筐体５３ａ内に突出するようになっており、したがって、電磁弁５４が非駆動状態のときは、排気口５３ｅは弁体５４ｂによって開かれ、また、駆動状態となったときは排気口５３ｅは弁体５４ｂによって閉じられるものである。
【００１９】
なお、前記エアー生成手段５１と給排気手段５３とはエアー供給装置を構成しているものである。
【００２０】
つぎに、前記配設室２６に配設される被接続手段６０について説明する。この被接続手段６０は、図２、図３に示すように内部を中空状とするとともに流入接続口６２ａ、送出接続口６３ａおよび吐出接続口６５が形成された箱部６１と、この箱部６１の内部に設けられた弁手段６７等から構成されている。そして流入接続口６２ａおよび送出接続口６３ａは箱部６１の互いに対向する側壁６２および６３に形成されており、また、吐出接続口６５は中央部に嵌合孔６５ａを有するゴム等の弾性部材からなり、前記箱部６１の天井壁６４に形成した貫通孔６４ａの内側口縁に設けた環状壁からなる嵌合壁６４ｂに取り付けられて設けられている。
【００２１】
また、前記箱部６１の前記吐出接続口６５に形成した嵌合孔６５ａに対応した底壁６６には、位置決め凸部６６ａが設けられており、この位置決め凸部６６ａは付勢ばねであるコイルばね６７ａのリング部内に位置し、コイルばね６７ａは位置決めされている。また、コイルばね６７ａによって弁体６７ｂが常時吐出接続口６５つまり嵌合孔６５ａを閉じるように付勢されており、このコイルばね６７ａと弁体６７ｂとは弁手段６７を構成しているものである。
【００２２】
そして、前記給排気手段５３の送出口５３ｄと被接続手段６０の流入接続口６２ａとはエアーホース６８によって接続されており、このエアーホース６８からは分岐ホース６８ａが分岐され、この分岐ホース６８ａは隆起部１１の傾斜面１２に配設された前記袋体４０の接続口４１に接続されている。また、被接続手段６０の送出接続口６３ａと前記隆起部２１の傾斜面２２に配設された袋体４０の接続口４１とはエアーホース６９によって接続されている。
【００２３】
つぎに、前記基台２に着脱可能に設けられる副基台７０について説明する。
【００２４】
この副基台７０は図１、図３に示すように内部を中空状とするとともに断面略台形状の箱状に形成された箱状部７１と、この箱状部７１に取り付けられた一対の袋体８０等から構成されている。
【００２５】
そして、断面台形状に形成された箱状部７１の図３において左右両側の傾斜面はそれぞれ前記基台２に形成された隆起部１１および隆起部２１の傾斜面１２および傾斜面２２に対向する支持面７２および支持面７３を構成しており、支持面７２および支持面７３の略中央部には貫通孔７２ａおよび７３ａがそれぞれ形成されている。そして、隆起部１１の傾斜面１２に配設した袋体４０とこの袋体４０と対向する支持面７２に配設した袋体８０および隆起部２１の傾斜面２２に配設した袋体４０とこの袋体４０と対向する支持面７３に配設された袋体８０とで形成されるそれぞれの凹部は幅寸法の小さい一対の第二の被施療部載置部７４を構成するものである。
【００２６】
また、底壁７１ａには接続手段７５が設けられており、この接続手段７５は副基台７０の底壁７１ａから下方に突出して形成され内部に貫通孔７５ａを有する筒状部を有する嵌合接続口７６と、底壁７１ａの内部に突出させて形成した環状壁７７ａからなる送出口７７とから構成されている。また、前記嵌合接続口７６の先端部つまり筒上部の先端部周壁には貫通孔７５ｂが設けられており、副基台７０が前記基台２に取り付けられる際に、前記貫通孔７５ｂが設けられた前記嵌合接続口７６の先端部つまり筒上部の先端部は、前記弁手段６７の弁体６７ｂをコイルばね６７ａの付勢力に抗して下方に押し下げて吐出接続口６５つまり嵌合孔６５ａを開き、副基台７０が取り付けられた状態では前記吐出接続口６５の嵌合孔６５ａを貫通するようになっている。そして、貫通孔７５ｂが吐出接続口６５に形成した嵌合孔６５ａを貫通することによって、貫通孔７５ｂは被接続手段６０の箱部６１の中空部内に位置することになり、被接続手段６０の流入接続口６２ａと連通するものである。
【００２７】
また、前記箱状部７１の支持面７２および７３にはそれぞれエアーの給排気により膨縮する前記袋体８０が配設されており、これら袋体８０は前記袋体４０と同一の構成となっている。すなわち図３に示すように下方部には接続口８１が設けられており、また、外周部は起毛生地からなる布地によって形成されたカバー８２によって覆われており、また、このカバー８２の内側にはカバー８２と離間して図示しないがナイロン等からなるメッシュ材（網状布材）が取り付けられており、このメッシュ材とカバー８２との間には発泡ウレタンフォーム等からなる軟質部材８３が入れられている。
【００２８】
そして、前記接続手段７５の送出口７７にはエアーホース８４の一端が接続され、このエアーホース８４の他端は二つの分岐ホース８４ａと８４ｂとに分岐され、一方の分岐ホース８４ａは一方つまり図３において右側の袋体８０の接続口８１に、また、他方の分岐ホース８４ｂは他方の袋体８０の接続口８１にそれぞれ接続されている。
【００２９】
なお、基台２の内部には図示しないマイクロコンピューターからなる制御手段が設けられており、この制御手段は隆起部１１の上面に設けられた同じく図示しないマッサージ時間設定手段、押圧力調節手段によって入力つまり設定された情報に基づいて、前記エアー生成装置５１、給排気手段５３等を制御するようになっている。また、基台２からは前記エアー生成装置５１、電磁弁５４等に電力を供給する電源コード５が引き出されている。
【００３０】
つぎに、上記のように構成したエアーマッサージ機１の動作について説明する。まず、このエアーマッサージ機１によって脚部のマッサージをする場合について説明する。この場合は副基台７０を基台２に取り付けて使用するものであるが、副基台７０の基台２への取り付けは、副基台７０の底壁７１ａに設けられた嵌合接続口７６を、基台２の平坦部１７に開口している貫通孔６４ａを介して吐出接続口６５の嵌合孔６５ａに挿入して嵌合させて、底壁７１ａを平坦部１７に載置して取り付ける。そして、前記嵌合接続口７６を吐出接続口６５の嵌合孔６５ａに挿入する過程で嵌合接続口７６の先端は、弁手段６７の常時はコイルばね６７ａによって吐出接続口６５の嵌合孔６５ａを閉じている弁体６７ｂをコイルばね６７ａの付勢力に抗して下方に押し下げつつ嵌合孔６５ａを貫通し、貫通した状態では弁体６７ｂは吐出接続口６５の嵌合口６５ａを開き、嵌合接続口７６の先端部つまり筒上部の先端部周壁には貫通孔７５ｂは被接続手段６０の箱部６１の中空部内に位置し被接続手段６０の流入接続口６２ａと連通する。
【００３１】
そして、副基台７０を基台２に取り付けた状態では、基台２の隆起部１１の傾斜面１２に配設した袋体４０とこの袋体４０と対向する副基台７０の支持面７２に配設した袋体８０および隆起部２１の傾斜面２２に配設した袋体４０とこの袋体４０と対向する支持面７３に配設した袋体８０とによって幅寸法の小さい被施療部である脚部を載置する一対の前記第二の被施療部載置部７４が形成される。
【００３２】
そして、前記図示しないマッサージ時間設定手段、押圧力調節手段によってマッサージ時間および押圧力を設定した後、両脚部を前記第二の被施療部載置部７４に載置しついで図示しない始動スイッチを閉成する。始動スイッチが閉成されると前記図示しない制御手段の制御によって前記エアー生成装置５１、給排気手段５３等が制御されて、前記袋体４０および袋体８０にエアーの給排気がされて袋体４０および袋体８０が膨縮し被施療部である脚部のマッサージがされるものである。
【００３３】
そして、制御手段の制御によりエアー生成装置５１のエアー供給口５２からエアーが送出されているときは、給排気手段５３の電磁弁５４は動作状態となるように制御され弁体５４ｂは排気口５３ｅを閉じており、エアー生成装置５１から送出されるエアーは、給排気手段５３、エアーホース６８からは分岐ホース６８ａを介して袋体４０に、また、エアーホース６８、被接続手段６０、接続手段７５、エアーホース８４、分岐ホース８４ａおよび８４ｂを介して袋体８０、８０に、また、エアーホース６８、被接続手段６０およびエアーホース６９を介して袋体４０にそれぞれ供給され各袋体４０および８０は膨脹する。
【００３４】
そして、各袋体４０および８０に所定のエアーが供給されると、制御手段はエアー生成装置５１を停止させるとともに電磁弁５４を非動作状態とするように制御する。電磁弁５４が非動作状態となると弁体５４ｂは排気口５３ｅを開き、また、エアー生成装置５１は停止してエアーの送出がなされないことから、各袋体４０および８０に供給されたエアーは、供給される場合とは逆方向に流れて排気口５３ｅから外部つまり大気中に排気され各袋体４０および８０は収縮する。
【００３５】
そして、制御手段の制御により各袋体４０および８０へのエアーの給排気が繰り返されて脚部のマッサージがなされるものである。
【００３６】
つぎに、エアーマッサージ機１によって腰部のマッサージをする場合について説明する。この場合は副基台７０を基台２から取り外して基台２のみを使用するものであるが、副基台７０から基台２の取り外しは、副基台７０を基台２に対して上方に持ち上げることによってなされるが、副基台７０を基台２に対して上方に持ち上げると、副基台７０の底壁７１ａに設けられた嵌合接続口７６は、被接続手段６０の吐出接続口６５の嵌合孔６５ａから離脱する。嵌合接続口７６が嵌合孔６５ａから離脱すると、嵌合接続口７６の先端によって押しさげられていた弁手段６７の弁体６７ｂはコイルばね６７ａによって上方に押し上げられて前記嵌合孔６５ａを閉じる。つまり、基台２から副基台７０を取り外した状態では、被接続手段６０の吐出接続口６５つまり嵌合孔６５ａは弁体６７ｂによって閉じられていることから、被接続手段６０の吐出接続口６５を介して外部にはエアーは流出しないようになっているとともに、エアーホース６８から被接続手段６０に流入したエアーはすべてエアーホース６９を介して隆起部２１の傾斜面２２に配設した袋体４０に供給されるものである。
【００３７】
そして、副基台７０が取り外された状態では、隆起部１１の傾斜面１２に配設された袋体４０と隆起部２１の傾斜面２２に配設された袋体４０とによって幅寸法の大きい被施療部である腰部を載置する第一の被施療部載置部２５が形成される。
【００３８】
そして、上記脚部の場合と同様に、前記図示しないマッサージ時間設定手段、押圧力調節手段によりマッサージ時間および押圧力を設定した後、腰部を前記第一の被施療部載置部２５に載置しついで図示しない始動スイッチを閉成する。始動スイッチが閉成されると前記図示しない制御手段の制御によって前記エアー生成装置５１、給排気手段５３等が制御されて、前記両袋体４０にエアーの給排気がされて袋体４０が膨縮し被施療部である腰部のマッサージがされるものである。
【００３９】
そして、制御手段の制御によりエアー生成装置５１のエアー供給口５２からエアーが送出されているときは上記脚部の場合と同様に、電磁弁５４は動作状態となるように制御され弁体５４ｂは排気口５３ｅを閉じており、エアー生成装置５１から送出されるエアーは、給排気手段５３、エアーホース６８からは分岐ホース６８ａを介して隆起部１１の傾斜面１２に配設された袋体４０に、また、エアーホース６８、被接続手段６０およびエアーホース６９を介して隆起部２１の傾斜面２２に配設された袋体４０にそれぞれ供給され両袋体４０は膨脹する。そして、両袋体４０に所定のエアーが供給されると、制御手段の制御によりエアー生成装置５１を停止させるとともに電磁弁５４を非動作状態となり、弁体５４ｂは排気口５３ｅを開き、また、エアー生成装置５１は停止してエアーの送出がなされないことから、両袋体４０に供給されたエアーは供給される場合とは逆方向に流れて排気口５３ｅから外部つまり大気中に排気され両袋体４０は収縮する。
【００４０】
そして、制御手段の制御により両袋体４０へのエアーの給排気が繰り返されて腰部のマッサージがなされるものである。
【００４１】
このように上記エアーマッサージ機１は、基台２に設けた互いに対向する隆起部１１および２１の傾斜面１２および２２に支持され、エアーの給排気により膨縮する一対の袋体４０を設けるとともに、基台２に前記一対の袋体４０の押圧面に対向する受け面に設けた袋体８０を有する副基台７０を着脱可能に設ける構成としたことから、基台２に副基台７０を取り付けた状態では前記受け面に設けた袋体８０と基台２に設けた袋体４０の押圧面側とにより幅寸法の小さい一対の第二の凹状の被施療部載置部７４が形成され、副基台７０を取り外した状態では前記一対の袋体４０によって幅寸法の大きい凹状の第一の被施療部載置部２５が形成されることから、大きさの異なる脚部あるいは腰部等の被施療部のマッサージができるものである。
【００４２】
また、基台２に設けた一対の袋体４０のそれぞれに対向させて、副基台７０の受け面に袋体８０を設ける構成としたことから、副基台７０を基台２に取り付けた際に形成される幅寸法の小さい一対の凹状の第二の被施療部載置部７４に挿入された被施療部つまり脚部を両側から押圧できることから良好なマッサージ効果がえられるものである。
【００４３】
また、基台２に副基台７０を取り付けた際、接続手段７０の嵌合接続口７６が被接続手段６０の吐出接続口６５に接続つまり挿入されると弁手段６７によって前記吐出接続口６５は自動的に開き、また、基台２から副基台７０を取り外した際は吐出接続口６５は自動的に閉じられることから、副基台７０の基台２への取り付けに応じて袋体８０へのエアーの給排気が可能となり、また、取り外した際は吐出接続口６５は自動的に閉じられ外部へのエアーの流出つまり漏れを確実に防止できるものである。
【００４４】
なお、上記の実施の形態においては、副基台７０に袋体８０を設ける構成としたが、これは袋体８０を設けることなく傾斜面７２および７３をそれぞれ被施療部の一方を受ける受け面としてこれら受け面つまり傾斜面７２および７３と前記基台２の隆起部１１の傾斜面１２および隆起部２１の傾斜面２２に配設した袋体４０の押圧面側とによって、幅寸法の小さい被施療部である一対の被施療部載置部を形成するようにしてもよいものである。このように構成した場合は袋体８０および被接続手段が不要となり構造が簡単となり安価とすることができる。また、このように構成した場合は、被接続手段６０の吐出接続口６５および副基台７０の接続手段７５は設ける必要はなく、エアーホース６８とエアーホース６９と直接接続つまり一本のエアーホースとすることができるものである。
【００４５】
また、上記実施の形態においては、副基台７０に設けた被接続手段６０と隆起部２１の傾斜面２２に配設した袋体４０とをエアーホース６９によって接続するようにしたが、これは給排気手段５３の筐体５３ａに送出口とは別に送出口を設け、この送出口と副基台７０に設けた被接続手段６０とを接続し傾斜面２２に配設した袋体４０をエアーホース６８を直接接続する構成としてもよいものである。  また、上記実施の形態においては、袋体４０を支持する支持部を基台２に設けた隆起部１１および１２によって形成するようにしたが、これはエアーの給排気により膨縮する袋体によって形成するようにして、使用時は膨脹させ非使用時に収縮させるようにしてもよく、このようにした場合は基台２の高さを低くできるとともに、収納時に収縮させることにより小さくできることから大きな収納スペースを要しないという利点がある。
【００４６】
また、上記実施の形態においては、幅寸法の小さい凹状の第二の被施療部載置部を副基台７０を設けることによって形成する構成としたが、これは副基台７０に代えてエアーの給排気により膨縮する受け体としての袋体を着脱可能に設け、この袋体の両側面つまり受け面と前記袋体４０の押圧面とによって形成するようにしてもよく、このようにした場合においても基台２に設けた支持部をエアーの給排気により膨縮する袋体によって形成するようにしてもよいものである。なお、この場合は受け体としての前記袋体に代えて保形性のある部材によって形成した例えば軸方向断面を台形状とした台部材としてもよいものである。
【００４７】
また、上記実施の形態においては、この発明を脚部用のエアーマッサージ機に適用した場合について説明したが、これは脚部用のエアーマッサージ機に限定されるものではなく、大きな被施療部と小さな被施療部とをマッサージする他の形式のエアーマッサージ機にも適用できるものである。
【００４８】
【発明の効果】
上記のように請求項１記載の発明は、受け面と袋体の押圧面との間に幅寸法の小さい一対の凹状の第二の被施療部載置部が形成され、前記一対の袋体の押圧面間に幅寸法の大きい凹状の被施療部載置部が形成されることから、大きさの異なる被施療部のマッサージができるという効果を有するものである。
【００４９】
また、請求項２記載の発明は、基台に副基台を取り付けた状態では受け面と袋体の押圧面との間に幅寸法の小さい一対の凹状の被施療部載置部が形成され、副基台を取り外した状態では前記一対の袋体の押圧面間に幅寸法の大きい凹状の被施療部載置部が形成されることから、大きさの異なる被施療部のマッサージができるという効果を有するものである。
【００５０】
また、請求項３記載の発明は、請求項２記載の発明において、基台に設けた一対の袋体のそれぞれに対向させて、副基台の受け面にエアーの供給装置からのエアーの給排気によって膨縮する袋体を設ける構成としたことから、請求項２記載の発明の作用に加え、副基台を取り付けた際に形成される幅寸法の小さい一対の凹状の被施療部載置部に挿入された被施療部を両側から押圧できることから良好なマッサージ効果が得られるという効果を有するものである。
【００５１】
また、請求項４記載の発明は、請求項３記載の発明において、基台に、流入接続口と嵌合孔を有する吐出接続口とを有し前記流入接続口がエアー供給装置に接続される被接続手段を設け、前記副基台に、この副基台に設けた一対の袋体にエアーを送出する送出口と前記吐出接続口に挿脱可能にかつ気密的に嵌合する筒状部を有する嵌合接続口とを有する接続手段を設けるとともに、前記接続手段の嵌合接続口を被接続手段の吐出接続口に挿入した際に、前記嵌合接続口を開き、離脱した際に閉じる弁手段とを設ける構成としたことから、請求項３記載の発明の作用に加えて、基台に副基台を取り付け接続手段の嵌合接続口が被接続手段の吐出接続口に接続されると弁手段によって被接続手段の吐出接続口は自動的に開き副基台に設けた袋体へのエアーの給排気を可能とし、副基台を基台から取り外した際は吐出接続口は自動的に閉じられ副基台に設けた袋体へのエアーの給排気を自動的に停止することから、副基台の取り付け取り外しに応じて副基台に設けた袋体へのエアーの供給、停止ができることからその取扱いが容易となる効果を有するものである。
【図面の簡単な説明】
【図１】本発明を脚部用のエアーマッサージ機に適用した場合のエアーマッサージ機の斜視図（基台に副基台を取り付けた状態の斜視図）。
【図２】上記実施の形態のエアーマッサージ機の斜視図（基台から副基台を取り外した状態の斜視図）。
【図３】上記実施の形態のエアーマッサージ機の断面図（図１のＸ−Ｘ線断面図）。
【符号の説明】
１          エアーマッサージ機
２          基台
１１、２１  隆起部（支持部）
１２、２２  傾斜面（支持面）
２５        幅寸法の大きな第一の被施療部載置部
４０        袋体
５１        エアー生成装置（エアー供給装置の一部）
５３        給排気手段（エアー供給装置の一部）
７０        副基台
７２、７３  副基台の傾斜面（受け面）
７４        幅寸法の小さい第二の被施療部載置部
８０        袋体
【図１】
0003597011.tif 000002
【図２】
0003597011.tif 000003
【図３】
0003597011.tif 000004